(57)【要約】【課題】複数の通信バンドで使用する場合であっても、汎用のフィルタを用いることができる携帯電話機を提供すること。【解決手段】携帯電話機１は、複数の通信バンドでローミング通信可能であり、フィルタＡと、フィルタＢと、スイッチ部２０と、通信制御部２４とを備える。スイッチ部２０は、第１通信バンドに対応する信号あるいは第２通信バンドに対応する信号のフィルタへの伝送経路を切替え可能である。通信制御部２４は、スイッチ部２０の切替えを制御する。また、通信制御部２４は、国内のバンドの使用時において、フィルタＡに切り替えるようにスイッチ部２０を制御し、海外の通信バンドの使用時では、重複通過帯域幅Ｗ０ではフィルタＡに切り替えると共に、重複通過帯域幅Ｗ０を除く通過帯域ではフィルタＢに切り替えるようにスイッチ部２０を制御する。【選択図】図３
2012249032.tif 000002
【特許請求の範囲】
【請求項１】
複数の通信バンドでローミング通信可能な携帯電話機において、
第１通信バンドに対応する信号の通過帯域を制限する第１下限値および第１上限値を有し、第１通過帯域幅の第１フィルタと、
第２通信バンドに対応する信号の通過帯域を制限する第２下限値および第２上限値を有し、第２通過帯域幅の第２フィルタと、
前記第１通信バンドに対応する信号あるいは前記第２通信バンドに対応する信号の伝送経路を切替え可能な切替部と、
前記切替部の切替えを制御する制御部と、を備え、
前記第１フィルタと前記第２フィルタとは、通過帯域幅が互いに重複する重複通過帯域幅を有し、
前記制御部は、前記第１通信バンドの使用時において、前記第１フィルタに切り替えるように前記切替部を制御し、前記第２通信バンドの使用時では、前記重複通過帯域幅では前記第１フィルタに切り替えると共に、前記重複通過帯域幅を除く通過帯域では前記第２フィルタに切り替えるように前記切替部を制御することを特徴とする携帯電話機。
【請求項２】
前記第１通過帯域幅は前記第２通過帯域幅よりも狭い通過帯域幅であって、
前記第１フィルタは、前記第１通過帯域幅に亘り、ゲインの調整を行い、
前記第２フィルタは、前記重複通過帯域幅を除く通過帯域について、ゲインの調整を行い、
前記第１フィルタおよび前記第２フィルタにおけるゲインの調整は、少なくとも、前記第１フィルタと前記第２フィルタの切り替えの境目となる隣接する周波数のチャネルで行うことを特徴とする請求項１に記載の携帯電話機。
【請求項３】
前記ゲインの調整の補間を行う場合は、前記境目となる隣接する周波数チャネルを跨らないことを特徴とする請求項２に記載の携帯電話機。
【請求項４】
前記第１フィルタおよび前記第２フィルタは、ＳＡＷ（Ｓｕｒｆａｃｅ  Ａｃｏｕｓｔｉｃ  Ｗａｖｅ）フィルタである請求項１から３のいずれか１項に記載の携帯電話機。
【請求項５】
前記信号は、高周波信号であることを特徴とする請求項１から４のいずれか１項に記載の携帯電話機。
【請求項６】
複数の通信バンドでローミング通信可能な携帯電話機において、第１通信バンドに対応する信号の通過帯域を制限する第１下限値および第１上限値であり、第１通過帯域幅の第１フィルタと、第２通信バンドに対応する信号の通過帯域を制限する第２下限値および第２上限値であり、第２通過帯域幅の第２フィルタと、前記信号の伝送経路を切替え可能な切替部と、前記切替部の切替えを制御する制御部と、を備え、前記第１フィルタと前記第２フィルタとは、通過帯域幅が互いに重複する重複通過帯域幅を有する携帯電話機の制御方法であって、
前記第１通信バンドの使用時において、前記第１フィルタに切り替えるように前記切替部を制御し、前記第２通信バンドの使用時では、前記重複通過帯域幅では前記第１フィルタに切り替えると共に、前記重複通過帯域幅を除く通過帯域では前記第２フィルタに切り替えるように前記切替部を制御する制御工程を含むことを特徴とする制御方法。
【発明の詳細な説明】
【技術分野】
【０００１】
本発明は、複数の通信バンドで使用する場合であっても、汎用のフィルタを用いることができる携帯電話機およびその制御方法に関する。
【背景技術】
【０００２】
従来より、国際ローミング機能等の複数の通信バンドで信号の送受信を行う携帯電話機がある。このような携帯電話機では、例えば、特許文献１に記載される技術のように、各通信バンドに対応する通過帯域幅となるフィルタを用いていた。
【先行技術文献】
【特許文献】
【０００３】
【特許文献１】特開平１０−２９０１７６号公報
【発明の概要】
【発明が解決しようとする課題】
【０００４】
しかしながら、上述の特許文献１に記載の技術のように、各通信バンドに対応する通過帯域幅となるフィルタを用いるようにすると、使用が想定される通信バンドに合わせて、フィルタを設計しなければならず、既存のフィルタを流用する等の汎用性に欠けるという問題があった。
【０００５】
本発明は、複数の通信バンドで使用する場合であっても、汎用のフィルタを用いることができる携帯電話機およびその制御方法を提供することを目的とする。
【課題を解決するための手段】
【０００６】
本発明に係る携帯電話機は、上述の課題を解決するために、複数の通信バンドでローミング通信可能な携帯電話機において、第１通信バンドに対応する信号の通過帯域を制限する第１下限値および第１上限値を有し、第１通過帯域幅の第１フィルタと、第２通信バンドに対応する信号の通過帯域を制限する第２下限値および第２上限値を有し、第２通過帯域幅の第２フィルタと、前記第１通信バンドに対応する信号あるいは前記第２通信バンドに対応する信号の伝送経路を切替え可能な切替部と、前記切替部の切替えを制御する制御部と、を備え、前記第１フィルタと前記第２フィルタとは、通過帯域幅が互いに重複する重複通過帯域幅を有し、前記制御部は、前記第１通信バンドの使用時において、前記第１フィルタに切り替えるように前記切替部を制御し、前記第２通信バンドの使用時では、前記重複通過帯域幅では前記第１フィルタに切り替えると共に、前記重複通過帯域幅を除く通過帯域では前記第２フィルタに切り替えるように前記切替部を制御することを特徴とする。
【０００７】
また、上記携帯電話機は、前記第１通過帯域幅は前記第２通過帯域幅よりも狭い通過帯域幅であって、前記第１フィルタは、前記第１通過帯域幅に亘り、ゲインの調整を行い、前記第２フィルタは、前記重複通過帯域幅を除く通過帯域について、ゲインの調整を行い、前記第１フィルタおよび前記第２フィルタにおけるゲインの調整は、少なくとも、前記第１フィルタと前記第２フィルタの切り替えの境目となる隣接する周波数のチャネルで行うことが好ましい。
【０００８】
また、上記携帯電話機は、前記ゲインの調整の補間を行う場合は、前記境目となる隣接する周波数チャネルを跨らないことが好ましい。
【０００９】
また、上記携帯電話機は、前記第１フィルタおよび前記第２フィルタは、ＳＡＷ（Ｓｕｒｆａｃｅ  Ａｃｏｕｓｔｉｃ  Ｗａｖｅ）フィルタであることが好ましい。
【００１０】
また、上記携帯電話機は、前記信号は、高周波信号であることが好ましい。
【００１１】
本発明に係る制御方法は、上述の課題を解決するために、複数の通信バンドでローミング通信可能な携帯電話機において、第１通信バンドに対応する信号の通過帯域を制限する第１下限値および第１上限値であり、第１通過帯域幅の第１フィルタと、第２通信バンドに対応する信号の通過帯域を制限する第２下限値および第２上限値であり、第２通過帯域幅の第２フィルタと、前記信号の伝送経路を切替え可能な切替部と、前記切替部の切替えを制御する制御部と、を備え、前記第１フィルタと前記第２フィルタとは、通過帯域幅が互いに重複する重複通過帯域幅を有する携帯電話機の制御方法であって、前記第１通信バンドの使用時において、前記第１フィルタに切り替えるように前記切替部を制御し、前記第２通信バンドの使用時では、前記重複通過帯域幅では前記第１フィルタに切り替えると共に、前記重複通過帯域幅を除く通過帯域では前記第２フィルタに切り替えるように前記切替部を制御する制御工程を含むことを特徴とする。
【発明の効果】
【００１２】
本発明によれば、複数の通信バンドで使用する場合であっても、汎用のフィルタを用いることができる。
【図面の簡単な説明】
【００１３】
【図１】本実施形態に係る携帯電話機の外観斜視図である。
【図２】携帯電話機の機能構成を示すブロック図である。
【図３】本発明の一実施形態としての携帯電話機の受信に係る回路を示す図である。
【図４】フィルタＡおよびフィルタＢの受信信号の通過帯域を示す模式図である。
【図５】携帯電話機のスイッチ部の切り替えに係る処理の動作を示すフローチャートである。
【図６】各調整ポイントとＡＧＣ値との関係を示すグラフである。
【図７】本実施形態の変形例を示す図である。
【発明を実施するための形態】
【００１４】
以下、本発明の実施形態について、図面を用いて説明する。
【００１５】
以下、本発明の実施の形態について説明する。まず、本発明の一実施形態に係る携帯電話機１の基本構造について、図１を参照しながら説明する。図１は、本実施形態に係る携帯電話機１の外観斜視図である。
【００１６】
携帯電話機１は、筺体２を備える。筺体２には、正面部に、タッチパネル１０と、マイク１３と、レシーバ１４とが配置される。
【００１７】
タッチパネル１０は、表示部１１と、検出部１２とを備える（図２参照）。表示部１１は、液晶又は有機ＥＬ（エレクトロルミネッセンス）で構成される表示パネルである。検出部１２は、表示部１１に対する携帯電話機１のユーザの指やタッチペン等の物体の接触を検出する。検出部１２には、表示部１１の表面に対応して配され、例えば、静電容量方式や抵抗膜方式等が利用可能である。
【００１８】
マイク１３は、携帯電話機１のユーザが通話時に発した音声を入力するために用いられる。
レシーバ１４は、携帯電話機１のユーザの通話相手が発した音声を出力するために用いられる。
【００１９】
次に、携帯電話機１の機能構成について、図２を用いて説明する。図２は、携帯電話機１の機能構成を示すブロック図である。
【００２０】
携帯電話機１は、上述した、タッチパネル１０（表示部１１および検出部１２）と、マイク１３と、レシーバ１４とを備える。また、携帯電話機１は、通信部１５と、記憶部１６と、ＣＰＵ１７とを備える。
【００２１】
通信部１５は、送信に係る回路（図示せず）と後に詳述する受信に係る回路を備え、通話やメール等に係る通信を行う。また、通信部１５が通信を行う通信先は、携帯電話機１と電話やメールの送受信を行う外部装置や、携帯電話機１がインターネットの接続を行う外部のｗｅｂサーバ等の外部装置等である。
【００２２】
通信部１５は、所定の使用周波数帯で外部装置と通信を行う。具体的には、通信部１５は、上記のアンテナ１８によって受信した信号を復調処理し、処理後の信号をＣＰＵ１７に供給する。また、通信部１５は、ＣＰＵ１７から供給された信号を変調処理し、上記のアンテナ１８を介して外部装置（基地局）に送信する。
【００２３】
記憶部１６は、例えば、ワーキングメモリを含み、ＣＰＵ１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２４】
ＣＰＵ１７は、携帯電話機１の全体を制御しており、表示部１１および通信部１５に対して制御を行う。また、ＣＰＵ１７は、後に詳述する通信制御部２４を備える。
【００２５】
次に、携帯電話機１の受信に係る回路について図３を用いて説明する。図３は、本発明の一実施形態としての携帯電話機１の受信に係る回路を示す図である。
【００２６】
携帯電話機１は、図３に示すように、受信に係る回路として、アンテナ１８と、ＬＮＡ（Ｌｏｗ  Ｎｏｉｓｅ  Ａｍｐｌｉｆｉｅｒ、低雑音増幅器）１９と、スイッチ部２０と、フィルタＡと、フィルタＢと、ＤＶＧＡ（Ｄｉｇｉｔａｌ  Ｖａｒｉａｂｌｅ  Ｇａｉｎ  Ａｍｐｌｉｆｉｅｒ、デジタル可変利得増幅器）２１と、受信回路２２と、データ処理部２３と、ＣＰＵ１７に通信制御部２４と、記憶部１６とを備える。
【００２７】
ＬＮＡ１９は、高周波増幅回路であり、後述する受信回路２２からの受信信号増幅制御信号により、アンテナ１８から供給された受信信号に対して、ノイズを低減しつつ増幅し、増幅後の受信信号をスイッチ部２０に出力する。
【００２８】
スイッチ部２０は、後述する通信制御部２４からのスイッチ切替制御信号により、ＬＮＡ１９から供給される受信信号の出力先を切り替えて、フィルタＡ又はフィルタＢに出力する。
【００２９】
フィルタＡは、本実施形態においては、国内用の通信バンドに対応する受信信号の通過帯域を制限するフィルタであり、国内８００ＭＨｚ帯用として利用する。
フィルタＢは、本実施形態においては、海外用の通信バンドに対応する受信信号の通過帯域を制限するフィルタであり、海外８００ＭＨｚ帯用として利用する。
なお、フィルタＡおよびフィルタＢは、本実施形態においては、ＳＡＷ（Ｓｕｒｆａｃｅ  Ａｃｏｕｓｔｉｃ  Ｗａｖｅ）フィルタを用いるがこれに限られず、例えば、ＢＡＷ（Ｂｕｌｋ  Ａｃｏｕｓｔｉｃ  Ｗａｖｅ）フィルタや誘電体等の高周波フィルタを用いてもよい。
【００３０】
ここで、本実施形態に係るフィルタＡおよびフィルタＢの受信信号の通過帯域幅Ｗ１について図４を用いて説明する。図４は、フィルタＡおよびフィルタＢの受信信号の通過帯域幅Ｗ２を示す模式図である。
フィルタＡおよびフィルタＢは、図４に示すように、国内送信周波数および海外送信周波数に対応して、通過帯域の上限値が設定される。これは、送信信号の周波数の影響を避けるために、所定の周波数を隔てて受信信号の周波数が決定されているからである。
【００３１】
本実施形態においては、国内の周波数構成としては、受信周波数帯は、海外の受信周波数帯よりも狭く、かつ、低い周波数である。また、送信周波数は、海外の送信周波数よりも、低い周波数となっている。逆に、海外の周波数構成としては、受信周波数帯は、海外の受信周波数帯よりも広く、かつ、高い周波数である。また、送信周波数は、海外の送信周波数よりも、高い周波数となっている。
このような周波数構成においては、受信周波数に対応して、国内用は国内の受信周波数に対応したフィルタＡを用いる。海外用は、国内の受信周波数を包含する。さらに、海外の受信周波数に対応したフィルタＢを用いる。
本実施形態の携帯電話機１においては、国内で使用する場合には、フィルタＡを用い、海外で使用する場合には、フィルタＡの使用可能範囲内は、フィルタＡを使用して、フィルタＡの使用範囲を超えた周波数帯においては、フィルタＢを使用するように構成される。
すなわち、本実施形態の携帯電話機１においては、実際は、フィルタＡとフィルタＢの２のフィルタを使用しているが、重複部分（重複通過帯域幅Ｗ０）については、一方のフィルタのみ使用する。つまり、１つのフィルタＣとして扱うことができる。
【００３２】
また、本実施形態においては、国内送信周波数の下限値（８９８ＭＨｚ）の影響を受けないような国内受信周波数の上限値（８７５ＭＨｚ）としている。すなわち、フィルタＡは、受信周波数の上限値ｆ２に対応するようなフィルタが選定される。
また、海外送信周波数は、海外送信周波数の下限値の影響を受けないような海外受信周波数の上限値（８９４ＭＨｚ）としている。本実施形態においては、海外送信周波数は、国内送信周波数よりも下限値が高く設定されている。
すなわち、フィルタＢは、受信周波数の上限値ｆ４に対応するようなフィルタが選定される。
【００３３】
また、フィルタＡとフィルタＢとは、受信周波数の下限値ｆ１、ｆ３は同一であるが、上限値ｆ２、ｆ４はフィルタＢの方が高いものが用いられる。すなわち、フィルタＢの方通過帯域幅Ｗ２がフィルタＡの通過帯域幅Ｗ１よりも広いものが用いられる。
【００３４】
ＤＶＧＡ２１は、高周波増幅回路であり、後述する受信回路２２からの受信信号増幅制御信号により、アンテナ１８から供給された受信信号に対して、設定される増幅値で信号を増幅し、増幅後の受信信号を受信回路２２に出力する。つまり、ＬＮＡ１９およびＤＶＧＡ２１では、フィルタの特性により同じ周波数を受信しても受信回路２２に入力される信号の出力は異なるため、同一の出力となるように信号を増幅する。本実施形態の回路では、出力される信号に基づいて、同一の出力となるように信号を増幅させる値を調整するよう構成する、いわゆるＡＧＣ（Ａｕｔｏｍａｔｉｃ  Ｇａｉｎ  Ｃｏｎｔｒｏｌ、自動利得制御）を行う。
【００３５】
受信回路２２は、ＤＶＧＡ２１から供給された受信信号をデータ処理部２３に出力すると共に、ＤＶＧＡ２１から供給された受信信号から取得した信号の出力値に基づいて、受信信号増幅制御信号をＬＮＡ１９およびＤＶＧＡ２１に出力する。また、受信回路２２は、供給された受信信号をベースバンドにミキシングして、デジタル化する。
【００３６】
データ処理部２３は、受信回路２２から供給されたデジタル化した信号から音声データ等のデータを抽出する。
【００３７】
通信制御部２４は、例えば、ユーザの操作による使用場所の変更や、サーチにより結果から特定される基地局に基づいて決定される情報に基づいて国内使用か、海外使用かの判断を行う。
また、通信制御部２４は、使用の判断結果から、国内又は海外の受信周波数で電波を受信するフィルタになるように、スイッチ切替制御信号によりスイッチ部２０を制御したり、基地局から指定されたチャネルに応じてスイッチ切替制御信号によりスイッチ部２０を制御したりする。
【００３８】
記憶部１６は、基地局の特定に関する情報、受信信号増幅制御信号に係る情報、スイッチ切替信号に係る情報等の各種情報を記憶する。
【００３９】
以上のように構成される携帯電話機１は、複数の通信バンドで使用する場合であっても、汎用のフィルタを用いることができるようにスイッチ部２０を切り替えて各フィルタを使用することができる機能を有する。
【００４０】
このような携帯電話機１は、上述した機能を実現するために、以下の構成を備える。
携帯電話機１は、複数の通信バンドでローミング通信可能であり、フィルタＡ（第１フィルタ）と、フィルタＢ（第２フィルタ）と、スイッチ部２０（切替部）と、通信制御部２４（制御部）とを備える。
【００４１】
フィルタＡは、国内の通信バンド（第１通信バンド）に対応する信号の通過帯域を制限する下限値ｆ１（第１下限値）および上限値ｆ２（第１上限値）であり、通過帯域幅Ｗ１（第１通過帯域幅）である。
フィルタＢは、海外の通信バンド（第２通信バンド）に対応する信号の通過帯域を制限する下限値ｆ３（第２下限値）および上限値ｆ４（第２上限値）であり、通過帯域幅Ｗ２（第２通過帯域幅）である。
フィルタＡとフィルタＢとは、通過帯域幅が互いに重複する重複通過帯域幅Ｗ０を有する。
【００４２】
スイッチ部２０は、受信した信号のフィルタへの伝送経路を切替え可能である。すなわち、スイッチ部２０は、第１通信バンドに対応する信号あるいは第２通信バンドに対応する信号の伝送経路を切替え可能に構成される。
通信制御部２４は、スイッチ部２０の切替えを制御する。また、通信制御部２４は、国内のバンドの使用時において、フィルタＡに切り替えるようにスイッチ部２０を制御し、海外の通信バンドの使用時では、重複通過帯域幅Ｗ０ではフィルタＡに切り替えると共に、重複通過帯域幅Ｗ０を除く通過帯域ではフィルタＢに切り替えるようにスイッチ部２０を制御する。
【００４３】
このように携帯電話機１を構成することにより、国内の通信バンドでは、フィルタＡに切り替え、海外の通信バンドでは、指定されたチャネルが重複通過帯域幅内にある場合には、フィルタＡに切り替え、重複通過帯域幅を除く通過帯域がチャネルとして指定された場合には、フィルタＢに切り替える。したがって、携帯電話機１では、異なる通信バンドでの通信を実現するために、各通信バンドの上限および下限の周波数をエッジ部分として有するフィルタを複数組み合わせて構成することができる。このため、携帯電話機１では、通信バンドに対応してフィルタを設計する必要がなく、既存のフィルタを組み合わせて構成することができるために、汎用性の高い機器構成とすることができる。
【００４４】
次に、携帯電話機１のスイッチ部２０の切り替えに係る処理の流れについて図５を用いて説明する。図５は、携帯電話機１のスイッチ部２０の切り替えに係る処理の動作を示すフローチャートである。
【００４５】
本処理は、例えば、ユーザの所定の設定変更操作又は、基地局をサーチした場合に、携帯電話機１が電波を受信する際に受信する周波数を決定して、受信準備を行うときに開始する。
【００４６】
ステップＳＴ１において、通信制御部２４は、記憶部１６からの情報に基づいて、８００ＭＨｚ帯の周波数の変更があるか否かの判断を行う。具体的には、例えば、ユーザの所定の設定変更操作又は、基地局をサーチした結果から特定される記憶部１６に記憶された情報に基づいて、通信制御部２４は、８００ＭＨｚ帯の周波数の変更があるか否かの判断を行う。つまり、本ステップは、フィルタの切り替えが必要な周波数帯であるかを見極める工程である。
８００ＭＨｚ帯の周波数の変更があった場合（ＹＥＳ）には、処理はステップＳＴ２に進む。
８００ＭＨｚ帯の周波数の変更がない場合（ＮＯ）には、処理は終了する。
【００４７】
ステップＳＴ２において、通信制御部２４は、受信する周波数が８７５ＭＨｚ以上か否かの判断を行う。すなわち、通信制御部２４は、受信する周波数が８７５ＭＨｚ以上の海外用チャネルかあるいは、国内用又は８７４ＭＨｚ以下の海外用チャネルかを判断する。つまり、本ステップは、受信する周波数がフィルタＡで受信するものか、フィルタＢで受信するものかを見極める工程である。
受信する周波数が８７５ＭＨｚ以上、すなわち、海外用の場合（ＹＥＳ）には、処理はステップＳＴ３に進む。
受信する周波数が８７４ＭＨｚ以下、すなわち、国内用又は海外用の８７４ＭＨｚ以下チャネルの場合（ＮＯ）には、処理はステップＳＴ４に進む。
【００４８】
ステップＳＴ３において、通信制御部２４は、フィルタＡを使用するように制御する。具体的には、通信制御部２４は、フィルタＡに受信信号が供給されるように、スイッチ部２０に対して、スイッチ切替制御信号を出力する。その結果、スイッチ部２０は、フィルタＢにスイッチを切り替える。その後、処理は終了する。
【００４９】
ステップＳＴ４において、通信制御部２４は、フィルタＢを使用するように制御する。具体的には、通信制御部２４は、フィルタＢに受信信号が供給されるように、スイッチ部２０に対して、スイッチ切替制御信号を出力する。その結果、スイッチ部２０は、フィルタＢにスイッチを切り替える。その後、処理は終了する。
【００５０】
携帯電話機１では、上述したように動作することにより、異なる通信バンドでも信号の受信を行うことができる。
【００５１】
次に、上述したように構成される携帯電話機１のフィルタの調整について図６を用いて説明する。図６は、各調整ポイントとＡＧＣ値との関係を示すグラフである。本グラフにおいて、縦軸はＡＧＣ値であり、横軸は周波数（ＭＨｚ）である。ここで、調整ポイントとは、調整を行う周波数のポイントである。また、調整ポイントは、代表的に１ＭＨｚ間隔でのポイントを示している。
【００５２】
フィルタの調整方法は、ＤＶＧＡ２１に対して、ＡＧＣ値を変更（チューニング）することにより行う。ＡＧＣ値（以下、調整値、ゲイン値ともいう。）は、フィルタに対して、電圧（本実施形態では、例えば、−５０ｄＢＭ）を入力し、出力される電圧を測定し、一定の電圧となるように調整する値である。
また、フィルタの調整方法は、所定の調整ポイントを基準して、線形補間により求められる調整値により行う。フィルタの調整方法は、図６に示すように、所定の調整ポイント（例えば、フィルタＡでは、０．１ＭＨｚ）で行う。また、フィルタの調整方法は、フィルタＡでは、フィルタＡの通過帯域幅全域に対して行う。また、フィルタＢでは、線形補間により求めた調整値で調整を行うと、フィルタの特性の違いにより、一定の電圧の出力ではなくなってしまう。すなわち、フィルタＡの調整値から補完した調整値は、実際のフィルタＢの調整値との差が生じることになる。このため、フィルタＡにより取得可能な最大周波数（８７５ＭＨｚ）のエッジ部分の隣接する周波数で調整を行う。このようにすることで、フィルタの特性を考慮した調整が可能になる。
【００５３】
また、フィルタの調整は、フィルタＡおよびフィルタＢの重複部分の通過帯域（重複通過帯域）は一方のフィルタＡのみ使用するように動作するために、フィルタＡおよびフィルタＢの重複部分のフィルタＢに係る領域のＡＧＣ値の調整は行わない。
【００５４】
つまり、携帯電話機１では、フィルタＡは、フィルタＢの通過帯域幅Ｗ２（第２通過帯域幅）よりも狭い通過帯域幅であるフィルタＡの通過帯域幅Ｗ１（第１通過帯域幅）に亘り、ゲインの調整を行う。また、フィルタＢは、重複通過帯域幅Ｗ０を除く通過帯域について、ゲインの調整を行う。
このように構成することで、携帯電話機１では、フィルタＢのフィルタＡと重複する重複通過帯域幅Ｗ０の部分の調整は行わないために、出荷時の調整に係る作業が必要なくなり、調整の作業性を向上させることができる。また、調整を行わないので調整値を保持しておく必要がなく、調整値の記憶負担もかかることがない。
【００５５】
フィルタＡおよびフィルタＢにおけるゲインの調整は、少なくとも、フィルタＡとフィルタＢの切り替えの境目となる隣接する周波数のチャネルで行う。また、ゲインの調整は、補間により行う場合は、境目となる隣接する周波数チャネルを跨らないように行う。
このように構成することで、携帯電話機１では、異なるフィルタを使用してもフィルタの特性を考慮した調整を行うことができる。
【００５６】
［変形例］
次に、本実施形態の変形例について図７を用いて説明する。図７は、本実施形態の変形例を示す図である。
上述した本実施形態が２つの周波数編成であるのに対して、本変形例では、３つの周波数構成に対応可能に構成される。
つまり、携帯電話機１においては、Ａ国、Ｂ国およびＣ国における３つの国の周波数編成に対応して、フィルタＡ、フィルタＢおよびフィルタＣの３つのフィルタが用いられる。
【００５７】
フィルタＡ、フィルタＢおよびフィルタＣは、受信周波数の上限値が対応する国の下限の送信周波数に対応している。また、受信可能な周波数帯域については、フィルタＣはフィルタＡおよびフィルタＡの領域を包含し、フィルタＢはフィルタＡの領域を包含するようなフィルタが用いられる。
したがって、本変形例では、Ａ国のローミングではフィルタＡのみが使用される。
また、Ｂ国のローミングではフィルタＡおよびフィルタＢが使用される。すなわち、フィルタＡとフィルタＢの重複部分の周波数（重複通過帯域）では、フィルタＡが使用され、残りの周波数ではフィルタＢが使用される。
また、Ｃ国のローミングではフィルタＡ、フィルタＢおよびフィルタＣが使用される。すなわち、フィルタＡとフィルタＢとフィルタＣとの重複部分の周波数（重複通過帯域）では、フィルタＡが使用され、フィルタＢとフィルタＣとの重複部分の周波数（重複通過帯域）では、フィルタＢが使用され、残りの周波数ではフィルタＣが使用される。
【００５８】
このように構成することにより、２以上の異なる周波数編成にも対応することができる。また、複数のフィルタを１つのフィルタのように扱うことができる。
【００５９】
なお、本発明は、上述の実施形態に限定されるものではなく、本発明の目的を達成できる範囲での変形、改良等は本発明に含まれるものである。
【００６０】
また、上記実施形態では、８００ＭＨｚ等の高周波信号を受信するように構成したが、これに限られず、低周波信号等の他の次元の周波数信号でもよい。
【符号の説明】
【００６１】
１  携帯電話機
２０  スイッチ部（切替部）
２４  通信制御部（制御部）
Ａ  フィルタ（第１フィルタ）
Ｂ  フィルタ（第２フィルタ）
ｆ１、ｆ３  下限値（第１下限値、第２下限値）
ｆ２、ｆ４  上限値（第１上限値、第２上限値）
Ｗ０  重複通過帯域幅
Ｗ１  通過帯域幅（第１通過帯域幅）
Ｗ２  通過帯域幅（第２通過帯域幅）
【図１】
2012249032.tif 000003
【図２】
2012249032.tif 000004
【図３】
2012249032.tif 000005
【図４】
2012249032.tif 000006
【図５】
2012249032.tif 000007
【図６】
2012249032.tif 000008
【図７】
2012249032.tif 000009